(57)【特許請求の範囲】
【請求項１】
ユーザ機器(UE)によって、ロングタームエボリューション(LTE)ネットワークパラメータを示す新無線(NR)制御信号を受信するステップと、
前記LTEネットワークパラメータに基づいて、リソースのセット内のLTE信号を搬送するリソースのサブセットを決定するステップであって、前記リソースのセットはLTE信号のためにライセンスされた部分である、ステップと、
前記UEによって、前記リソースのセット内の前記サブセットを除く1つ以上の残りのリソースを介してNRダウンリンク信号を受信するステップであって、前記NRダウンリンク信号が、前記LTE信号を搬送するリソースの前記サブセットの周囲でレートマッチングされる、ステップと
を含む方法。
【請求項２】
リソースの前記セットが前記UEに割り当てられたリソースを含む、請求項1に記載の方法。
【請求項３】
リソースの前記セットが前記UEに構成された制御リソースセットを含む、請求項1または2に記載の方法。
【請求項４】
前記NRダウンリンク信号が、前記NRダウンリンク信号がレートマッチングされる周囲のリソースの前記サブセットが整数個のリソース要素(RE)からなるように、前記リソース要素(RE)レベルにおいてレートマッチングされる、請求項1から3のいずれか一項に記載の方法。
【請求項５】
前記NR制御信号が、LTEアンテナポートを示す、請求項1から4のいずれか一項に記載の方法。
【請求項６】
LTE信号を搬送するリソースの前記サブセットを決定するステップが、
前記LTEアンテナポートに関連付けられたLTEセル固有基準信号(CRS)パターンに基づいて、リソースの前記サブセットがLTE基準信号を搬送するリソースを含むことを決定するステップを含む、請求項5に記載の方法。
【請求項７】
前記NR制御信号が周波数オフセットを示す、請求項1から6のいずれか一項に記載の方法。
【請求項８】
LTE信号を搬送するリソースの前記サブセットを決定するステップが、
前記周波数オフセットに基づいて、リソースの前記サブセットがLTE基準信号を搬送するリソースを含むことを決定するステップを含む、請求項7に記載の方法。
【請求項９】
前記NR制御信号が、LTE制御チャネル内の直交周波数分割多重(OFDM)シンボルの数を示す、請求項1から8のいずれか一項に記載の方法。
【請求項１０】
リソースの前記セット内の1つ以上の残りのリソースを介して前記NRダウンリンク信号を受信するステップが、
前記LTE制御チャネル内のOFDMシンボルの前記数に対応する時間期間にNRダウンリンク信号を受信するための開始時間を調整するステップを含む、請求項9に記載の方法。
【請求項１１】
前記NR制御信号が、LTEマルチキャスト単一周波数ネットワーク(MBSFN)構成を示す、請求項1から10のいずれか一項に記載の方法。
【請求項１２】
LTE信号を搬送するリソースの前記サブセットを決定するステップが、
前記LTE MBSFN構成に基づいて、リソースの前記サブセットがLTE MBSFN基準信号を搬送するリソースを含むことを決定するステップを含む、請求項11に記載の方法。
【請求項１３】
前記NR制御信号がLTEチャネル状態情報基準信号(CSI-RS)構成を示す、請求項1から12のいずれか一項に記載の方法。
【請求項１４】
LTE信号を搬送するリソースの前記サブセットを決定するステップが、
前記LTE CSI-RS構成に基づいて、リソースの前記サブセットがLTE CSI-RS信号を搬送するリソースを含むことを決定するステップを含む、請求項13に記載の方法。
【請求項１５】
前記NRダウンリンク信号を受信するステップが、
前記1つ以上の残りのリソースを介して1つ以上のNRダウンリンク信号を受信するステップを含み、前記1つ以上のNRダウンリンク信号が、前記LTE信号を搬送するリソースの前記サブセットにわたってゼロ電力レベルを有する、請求項1から14のいずれか一項に記載の方法。
【請求項１６】
前記1つ以上のNRダウンリンク信号が、物理ダウンリンク共有チャネル(PDSCH)を介して送信されるNR信号、物理ダウンリンク制御チャネル(PDCCH)を介して送信されるNR制御信号、NR一次もしくは二次同期信号、NR物理ブロードキャストチャネル(PBCH)を介して送信されるNRブロードキャスト信号、またはそれらの組み合わせを含む、請求項15に記載の方法。
【請求項１７】
前記NR制御信号が、NRダウンリンク物理制御チャネルを介して受信される、請求項1から16のいずれか一項に記載の方法。
【請求項１８】
前記NR制御信号が、NR物理ブロードキャストチャネル(PBCH)を介して受信される、請求項1から17のいずれか一項に記載の方法。
【請求項１９】
前記NR制御信号が、残りの最小システム情報(RMSI)内に含まれる、請求項1から18のいずれか一項に記載の方法。
【請求項２０】
前記NR制御信号が、上位層の無線リソース制御(RRC)信号によって伝達される、請求項1から19のいずれか一項に記載の方法。
【請求項２１】
前記NR制御信号が、メディアアクセス制御(MAC)制御要素(CE)によって伝達される、請求項1から20のいずれか一項に記載の方法。
【請求項２２】
前記NR制御信号が、上位層の無線リソース制御(RRC)信号とメディアアクセス制御(MAC)制御要素(CE)との組み合わせによって伝達される、請求項1から21のいずれか一項に記載の方法。
【請求項２３】
プロセッサと、
前記プロセッサによる実行のためのプログラミングを記憶する非一時的コンピュータ可読記憶媒体と
によって特徴付けられたユーザ機器(UE)であって、前記プログラミングが、請求項1から22のいずれか一項に記載の方法を実施するための命令を含む、UE。
【発明の詳細な説明】
【技術分野】
【０００１】
本出願は、2017年1月5日に出願した「Signal Indication for Flexible New Radio (NR) Long Term Evolution (LTE) Coexistence」と題する米国仮特許出願第62/442,852、および2018年1月2日に出願した「Signal Indication for Flexible New Radio (NR) Long Term Evolution (LTE) Coexistence」と題する米国特許出願第15/860,334号の優先権を主張するものであり、それらのすべての内容は、それらの全体が複製されているかのように、参照により本明細書に組み込まれる。
【０００２】
本開示は、概して遠距離通信に関し、具体的な実施形態において、柔軟な新無線(NR)ロングタームエボリューション(LTE)共存のための信号表示のためのシステムおよび方法に関する。
【背景技術】
【０００３】
新無線(NR)は、スマートフォン、自動車、需給計器、ウェアラブルおよび他のワイヤレス対応デバイスのための統合された接続性を提供する、提案されている第5世代(5G)ワイヤレス遠距離通信プロトコルである。5G NRワイヤレスネットワークは、第4世代(4G)ロングタームエボリューション(LTE)ワイヤレスネットワークの未使用帯域幅を動的に他の目的で使用する能力を有してもよい。このようにして、NRおよびLTEエアインターフェースは、同じスペクトルにわたって共存してもよい。
【発明の概要】
【発明が解決しようとする課題】
【０００４】
概して、柔軟な新無線(NR)ロングタームエボリューション(LTE)共存のための信号表示をサポートするための統一化メッセージのための技法を説明する本開示の実施形態によって技術的利点が達成される。
【課題を解決するための手段】
【０００５】
一実施形態によれば、信号を受信するための方法が提供される。この実施形態において、方法は、ロングタームエボリューション(LTE)ネットワークパラメータを示す新無線(NR)制御信号を受信するステップと、LTEネットワークパラメータに基づいて、LTE信号を搬送するリソースのサブセットを決定するステップと、リソースのセット内の1つ以上の残りのリソースを介してNRダウンリンク信号を受信するステップとを含む。一例において、リソースのセットは、UEに割り当てられたリソースを含む。同じ例において、または別の例において、リソースのセットは、UEに構成された制御リソースセットを含む。前述の例のいずれか1つにおいて、または別の例において、NRダウンリンク信号が、LTE信号を搬送するリソースのサブセットの周囲でレートマッチングされる。前述の例のうちのいずれか1つにおいて、または別の例において、NRダウンリンク信号が、NRダウンリンク信号が周囲でレートマッチングされるリソースのサブセットが整数個のリソース要素(RE)からなるように、リソース要素(RE)レベルにおいてレートマッチングされる。前述の例のうちのいずれか1つにおいて、または別の例において、NR制御信号が、LTEアンテナポートを示す。そのような例において、LTE信号を搬送するリソースのサブセットを決定するステップが、LTEアンテナポートに関連付けられたLTEセル固有基準信号(CRS)パターンに基づいて、リソースのサブセットがLTE基準信号を搬送するリソースを含むことを決定するステップを含んでもよい。前述の例のうちのいずれか1つにおいて、または別の例において、NR制御信号は、周波数オフセットを示す。そのような例において、LTE信号を搬送するリソースのサブセットを決定するステップが、周波数オフセットに基づいて、リソースのサブセットがLTE基準信号を搬送するリソースを含むことを決定するステップを含んでもよい。前述の例のうちのいずれか1つにおいて、または別の例において、NR制御信号は、LTE制御チャネル内の直交周波数分割多重(OFDM)シンボルの数を示す。そのような例において、リソースのセット内の1つ以上の残りのリソースを介してNRダウンリンク信号を受信するステップが、LTE制御チャネル内のOFDMシンボルの数に対応する時間期間にNRダウンリンク信号を受信するための開始時間を調整するステップを含んでもよい。前述の例のうちのいずれか1つにおいて、または別の例において、NR制御信号は、LTEマルチキャスト単一周波数ネットワーク(MBSFN)構成を示す。そのような例において、LTE信号を搬送するリソースのサブセットを決定するステップは、LTE MBSFN構成に基づいて、リソースのサブセットがLTE MBSFN基準信号を搬送するリソースを含むことを決定するステップを含んでもよい。前述の例のうちのいずれか1つにおいて、または別の例において、NR制御信号は、LTEチャネル状態情報基準信号(CSI-RS)構成を示す。そのような例において、LTE信号を搬送するリソースのサブセットを決定するステップが、LTE CSI-RS構成に基づいて、リソースのサブセットがLTE CSI-RS信号を搬送するリソースを含むことを決定するステップを含んでもよい。前述の例のうちのいずれか1つにおいて、または別の例において、NRダウンリンク信号を受信するステップが、1つ以上の残りのリソースを介して1つ以上のNRダウンリンク信��を受信するステップを含み、1つ以上のNRダウンリンク信号は、LTE信号を搬送するリソースのサブセットにわたってゼロ電力レベルを有する。そのような例において、1つ以上のNRダウンリンク信号が、物理ダウンリンク共有チャネル(PDSCH)を介して送信されるNR信号、物理ダウンリンク制御チャネル(PDCCH)を介して送信されるNR制御信号、NR一次もしくは二次同期信号、NR物理ブロードキャストチャネル(PBCH)を介して送信されるNRブロードキャスト信号、またはそれらの組み合わせを含んでもよい。前述の例のうちのいずれか1つにおいて、または別の例において、NR制御信号が、NRダウンリンク物理制御チャネルを介して受信される。前述の例のうちのいずれか1つにおいて、または別の例において、NR制御信号が、NR物理ブロードキャストチャネル(PBCH)を介して受信される。前述の例のうちのいずれか1つにおいて、または別の例において、NR制御信号が、残りの最小システム情報(RMSI)内に含まれる。前述の例のうちのいずれか1つにおいて、または別の例において、NR制御信号が、上位層の無線リソース制御(RRC)信号によって伝達される。前述の例のうちのいずれか1つにおいて、または別の例において、NR制御信号が、メディアアクセス制御(MAC)制御要素(CE)によって伝達される。前述の例のうちのいずれか1つにおいて、または別の例において、NR制御信号が、上位層の無線リソース制御(RRC)信号とメディアアクセス制御(MAC)制御要素(CE)との組み合わせによって伝達される。この方法を実行するための装置も提供される。
【０００６】
別の実施形態によれば、信号を送信する方法が提供される。この実施形態において、方法は、ロングタームエボリューション(LTE)ネットワークパラメータを示す新無線(NR)制御信号を受信するステップと、LTEネットワークパラメータに基づいて、LTE信号を搬送するか、または他の方法でLTE信号に予約されるリソースのサブセットを決定するステップと、LTE信号を搬送するか、または他の方法でLTE信号に予約されるリソースのサブセットを介してNRアップリンク信号を送信することなく、リソースのセット内の1つ以上の残りのリソースを介してNRアップリンク信号を送信するステップとを含む。一例において、リソースのセットが、UEに割り当てられる。同じ例において、または別の例において、リソースのセットが、アップリンク制御信号のために構成されたリソースを含む。前述の例のうちのいずれか1つにおいて、または別の例において、NRアップリンク信号が、LTE信号を搬送するか、または他の方法でLTE信号に予約されるリソースのサブセットの周囲でレートマッチングされる。前述の例のうちのいずれか1つにおいて、または別の例において、LTE信号を搬送するリソースのサブセットを決定するステップが、NR制御信号内のLTEネットワークパラメータに基づいて、リソースのサブセット内の少なくともいくつかのリソースがLTEランダムアクセスチャネル(RACH)送信のために予約されることを決定するステップを含んでもよい。前述の例のうちのいずれか1つにおいて、または別の例において、LTE信号を搬送するリソースのサブセットを決定するステップが、NR制御信号内のLTEネットワークパラメータに基づいて、リソースのサブセット内の少なくともいくつかのリソースがLTEサウンディング基準信号(SRS)シンボルを搬送することを決定するステップを含んでもよい。前述の例のうちのいずれか1つにおいて、または別の例において、LTE信号を搬送するリソースのサブセットを決定するステップが、NR制御信号内のLTEネットワークパラメータに基づいて、リソースのサブセット内の少なくともいくつかのリソースが、NR物理アップリンクチャネル(PUSCH)を介して送信されるLTEデータ信号、またはNR物理アップリンク制御チャネル(PUCCH)を介して送信されるNR制御信号を搬送することを決定するステップを含んでもよい。
【０００７】
本開示およびその利点のより完全な理解のために、ここで、添付図面と併せて以下の説明に対して参照がなされる。
【図面の簡単な説明】
【０００８】
【図１】一実施形態のワイヤレス通信ネットワークの図である。
【図２】NRエアインターフェースおよびLTEエアインターフェースの共存のために構成されたスペクトルの図である。
【図３Ａ】異なるLTEアンテナポート構成に対するLTE基準信号パターンの図である。
【図３Ｂ】異なるLTEアンテナポート構成に対するLTE基準信号パターンの図である。
【図３Ｃ】異なるLTEアンテナポート構成に対するLTE基準信号パターンの図である。
【図４】2つの異なるネットワークタイプに関連付けられたエアインターフェースの共存のために構成されたスペクトルの図である。
【図５】LTEリソースを介してNR信号を送信または受信するための一実施形態の方法のフローチャートである。
【図６】NRエアインターフェースおよびLTEエアインターフェースの共存のために構成された別のスペクトルの図である。
【図７】異なる周波数領域リソースがNRエアインターフェースおよびLTEエアインターフェースに割り当てられるスペクトルの図である。
【図８】異なる時間領域リソースがNRエアインターフェースおよびLTEエアインターフェースに割り当てられるスペクトルの図である。
【図９】異なる時間領域リソースがNRエアインターフェースおよびLTEエアインターフェースに割り当てられる別のスペクトルの図である。
【図１０】LTE信号および/またはNR信号を送信するために異なる長さのTTIが使用されるスペクトルの図である。
【図１１】NRエアインターフェースおよびLTEエアインターフェースの共存のために構成された別のスペクトルの図である。
【図１２】NRエアインターフェースおよびLTEエアインターフェースの共存のために構成されたさらに別のスペクトルの図である。
【図１３】本明細書に記載の方法を実行するための一実施形態の処理システムのブロック図である。
【図１４】本明細書に記載の例示的実施形態に係る遠隔通信ネットワークを介して信号を送信および受信するように適合されたトランシーバのブロック図である。
【発明を実施するための形態】
【０００９】
実施形態の構造、製造、および使用は、以下に詳細に論じられる。しかしながら、本開示は、多種多様な特定の状況において具体化されうる多くの適用可能な特許請求された概念を提供することが理解されるべきである。論じられる具体的な実施形態は、特許請求された概念を作成および使用するための具体的な方法の単なる例示であり、特許請求された概念を限定しない。
【００１０】
「LTE信号」は、(限定はしないが)LTE物理ダウンリンク共有チャネル(PDSCH)またはLTE物理アップリンク共有チャネル(PU-SCH)を介して送信されるLTEデータ信号、LTE物理ダウンリンク制御チャネル(PDCCH)またはLTE強化PDCCH(ePDCCH)またはLTE物理アップリンク制御チャネル(PUCCH)を介して送信されるLTE制御信号、および、LTE基準信号(例えば、チャネル状態情報基準信号(CSI-RS)、共通基準信号(CRS)、復調基準シンボル(DMRS)、一次および二次同期信号など)、ならびに、LTE物理ブロードキャストチャネル(PBCH)、LTE無線リソース制御(RRC)上位層プロトコル、および/またはLTEメディアアクセス制御(MAC)制御要素(CE)を介して通信されるLTE信号を含む、LTEファミリの遠距離通信プロトコルに従って送信される任意の信号を指すことが理解されるべきである。同様に、「NR信号」は、(限定はしないが)NR PDSCHまたはNR PUSCHを介して送信されるNRデータ信号、NR PDCCHまたはNR PUCCHを介して送信されるNR制御信号、および、NR基準信号、ならびに、NR PBCH、NR RRC上位層プロトコル、および/またはNR MAC制御要素を介して通信される他のNR信号を含む、NRファミリの遠距離通信プロトコルに従って送信される任意の信号を指す。本明細書で使用されるとき、「NR制御信号」という用語は、(限定はしないが)RRC信号、MAC制御要素(CE)、およびダウンリンク制御情報(DCI)、PBCHを介して通信される制御信号、残りの最小システム情報(RMSI)、ならびに、任意の他のセル固有、グループ固有、および/またはUE固有の制御信号を含む、NRファミリの遠距離通信プロトコルに従って送信される任意の制御信号を指してもよい。RMSIは、PBCHにおいて送信されない特定の最小システム情報を含んでもよい。RMSIは、PDSCHを介して送信されてもよい。RMSIが送信されるPDSCHリソースは、PDCCH内の共通探索空間を介して送信されるDCIメッセージによって識別されうる。DCIメッセージは、システム情報RNTI(SI-RNTI)のような共通RNTIによってマスクされるCRCでありうる。「LTEネットワークパ
ラメータ」という用語は、(限定はしないが)アンテナポート構成、LTE PCFICH内で搬送される情報のような物理制御チャネルフォーマットインジケータ、周波数シフトまたはオフセット、LTEサブフレーム構成、MBSFN構成、CSI RS構成、基準信号リソース要素位置、制御チャネルリソースなどを含む、どのリソースがLTE信号を搬送するかを識別するために使用されうる任意の制御または管理情報を指す。「信号(signal)」、「信号(signal(s))」、および「信号(signals)」という用語は、1つ以上の信号を指すために全体を通して交換可能に使用され、それらの用語のどれも、特に指定されない限り、複数の信号を除外した単一の信号、または単一の信号を除外した複数の信号を指すものとして解釈されるべきではないことが理解されるべきである。
【００１１】
LTEネットワークのピーク使用期間の間に通常起こりうるように、LTEネットワーク容量がLTEユーザ機器(UE)のスペクトル需要を超えるとき、LTEサブフレームのダウンリンクデータチャネルリソースが使用されなくなってもよい。いくつかの例において、5G NRワイヤレスネットワークは、LTEサブフレームの未使用のデータチャネルリソースを5G NR UEに動的に割り当ててもよい。しかしながら、LTEサブフレームのデータチャネルリソースがLTE信号を搬送するために使用されていないときでも、LTEサブフレームは、それにもかかわらず制御および基準信号をLTE UEに搬送してもよい。LTE制御/基準信号を搬送するリソースがNR UEによって処理される場合、LTE制御および基準信号は、NR UEによるNRダウンリンク送信の受信と干渉する可能性がある。しかしながら、LTEサブフレーム内の物理ダウンリンク制御チャネル(PDCCH)内の直交周波数分割多重(OFDM)シンボルの数、ならびに、LTEサブフレーム内の基準信号を搬送するために使用されるリソース要素(RE)位置は、LTEサブフレーム構成によって異なる。したがって、NRエアインターフェースおよびLTEエアインターフェースのシームレスな共存を達成するために、どのリソースがLTE信号を搬送するかについてNR UEに通知するための技法が必要とされる。本開示の実施形態は、どのリソースがLTE信号を搬送するかをNR UEが識別することを可能にするために、1つ以上のLTEネットワークパラメータを示すNR制御信号をNR UEに送信する。NR UEは、次いで、リソースのセット内の残りのリソースを介して1つ以上のNRダウンリンク信号またはチャネルを受信してもよい。リソースのセットは、UEに割り当てられるグラントベース(grant-based)リソースおよび/またはUEに対して半静的に構成されうるグラントフリー(grant-free)リソースを含んでもよい。NRダウンリンク信号またはチャネルは、LTE信号を搬送するリソースにわたって、ゼロ電力レベルを有してもよく、または、他の方法でブランキングされてもよい。NRダウンリンク信号は、NRデータまたは制御チャネル、例えば、NR物理ダウンリンク共有チャネル(PDSCH)、NR物理ダウンリンク制御チャネル(PDCCH)、NR一次もしくは二次同期信号、物理ブロードキャストチャネル(PBCH)、またはそれらの組み合わせを含んでもよい。一実施形態において、NR制御信号は、LTEアンテナポートを示し、NR UEは、LTEアンテナポートに関連付けられたLTE共通基準信号(CRS)パターンに基づいて、どのリソースがLTE基準信号を搬送するかを決定する。そのような実施形態において、LTE CRSパターンのLTEアンテナポートへのマッピングは、NR UEの先験的情報であってもよい。別の実施形態において、NR制御信号は、LTE制御チャネル、例えば、PDCCHを搬送するために使用されるLTEサブフレーム内の直交周波数分割多重(OFDM)シンボルの数を含む制御チャネルフォーマットを示す。そのような実施形態において、NR UEは、LTE制御チャネル内のOFDMシンボルの数に対応する時間期間にNRダウンリンク信号またはチャネルを処理するための開始時間を調整してもよい。NRダウンリンク信号の送信時間を調整するための時間オフセットは、NR PDCCHにおいて示されうる。別の実施形態において、NR制御信号は、NRおよびLTEにおけるDCサブキャリアの異なる取り扱いによる周波数ずれを調整するため、または、セル固有の干渉ランダム化の利点を提供するために、周波数オフセットを示してもよい。別の実施形態において、LTEおよびNRにおけるDCサブキャリアの異なる取り扱いによる潜在的な周波数ずれに対処するために、NRにおいてフラクショナルPRBが使用されてもよい。別の実施形態において、NR制御信号は、LTE基準信号によって占有される直交周波数分割多重(OFDM)シンボルの数を示す。そのような実施形態において、NR UEは、NRダウンリンク信号を処理するとき、またはNRアップリンク信号を送信するとき、NR制御信号によって示されるLTEシンボル内のOFDMシンボルの数に対応するシンボルをスキップしてもよい。別の実施形態において、LTE基準信号を回避する時間-周波数リソース要素(RE)のセットにNR復調基準信号(DM-RS)がマッピングされる。さらに別の実施形態において、NR制御信号は、基地局の物理セル識別子(ID)を示し、UEは、物理セルIDに関連付けられた周波数オフセットに基づいてLTE基準信号を搬送するリソースを識別してもよい。
【００１２】
さらに別の実施形態において、NR制御信号は、LTEマルチキャスト-ブロードキャスト単一周波数ネットワーク(MBSFN)構成を示し、NR UEは、LTE MBSFN構成に基づいてどのリソースがLTE MBSFN基準信号を搬送するかを決定する。そのような実施形態において、異なるLTE MBSFN構成に関するリソース要素のLTE MBSFN基準信号へのマッピングは、NR UEの先験的情報であってもよい。さらに別の実施形態において、NR制御信号は、LTEチャネル状態情報基準信号(CSI-RS)構成を示し、NR UEは、LTE CSI-RS構成に基づいてどのリソースがLTE CSI-RS信号(例えば、非ゼロ電力(NZP)CSI-RSシンボル)を搬送するかを決定する。そのような実施形態において、異なるLTE CSI-RS構成に関するリソース要素のLTE CSI-RS信号へのマッピングは、NR UEの先験的情報であってもよい。NR制御信号は、NRレイヤ1(L1)信号(例えば、NRダウンリンク物理制御チャネル内の動的ダウンリンク制御情報(DCI))であってもよい。代替的には、LTEパラメータを示すNR制御信号は、NRブロードキャストチャネルを介して受信されてもよい。さらに別の代替として、LTEパラメータを示すNR制御信号は、UE固有無線リソース制御(RRC)信号またはメディアアクセス制御(MAC)制御要素のような上位層制御チャネルを介して受信されてもよい。
【００１３】
NR制御信号は、LTE信号を搬送するアップリンクリソースのNR UEを通知するために使用されてもよいことが理解されるべきである。例えば、NR UEは、LTEパラメータを示すNR制御信号を受信し、LTEパラメータに基づいて、LTEアップリンク信号を搬送するか、または他の方法でLTEアップリンク信号に予約されるリソースのサブセットを決定し、次いで、アップリンクLTE信号を搬送するそれらのリソースを介してNRアップリンク信号を送信することなく、リソースのセット内の1つ以上の残りのリソースを介してNRアップリンク信号を送信してもよい。NR制御信号は、LTEランダムアクセスチャネル(RACH)アップリンク送信、LTEサウンディング基準信号(SRS)シンボル、物理アップリンク共有チャネル(PUSCH)、物理アップリンク制御チャネル(PUCCH)、またはそれらの組み合わせのために予約されたリソースを識別してもよい。これらおよび他の特徴について、以下でより詳細に説明される。
【００１４】
図1は、データを通信するためのネットワーク100である。ネットワーク100は、カバレッジエリア101を有する基地局110と、複数のUE120と、バックホールネットワーク130とを備える。図示のように、基地局110は、UE120とのアップリンク(破線)接続および/またはダウンリンク(点線)接続を確立し、それらは、UE120から基地局110への、およびその逆にデータを搬送するように機能する。アップリンク/ダウンリンク接続を介して搬送されるデータは、UE120間で通信されるデータ、ならびに、バックホールネットワーク130によってリモート端(図示せず)に/から通信されるデータを含んでもよい。本明細書で使用されるとき、「基地局」という用語は、基地局(BS)もしくは送信/受信ポイント(TRP)、マクロセル、フェムトセル、Wi-Fiアクセスポイント(AP)、または他のワイヤレス対応デバイスのような、ネットワークへのワイヤレスアクセスを提供するように構成される任意の構成要素(または構成要素の集合)を指す。基地局は、1つ以上のワイヤレス通信プロトコル、例えば、第5世代新無線(5G_NR)、ロングタームエボリューション(LTE)、LTEアドバンスト(LTE-A)、高速パケットアクセス(HSPA)、Wi-Fi802.11a/b/g/n/acなどに従ってワイヤレスアクセスを提供してもよい。本明細書で使用されるとき、「UE」という用語は、4Gまたは第5世代(5G)LTE UE、NR UE、移動局(STA)、および他のワイヤレス対応デバイスのような、基地局とのワイヤレス接続を確立することができる任意の構成要素(または、構成要素の集合)を指す。いくつかの実施形態において、ネットワーク100は、リレー、低電力ノードなどのような様々な他のワイヤレスデバイスを備えてもよい。
【００１５】
NRダウンリンク信号/データを1つ以上のNR UEに搬送するために、ダウンリンクLTEサブフレームの未使用のリソースが再割り当てされうる。図2は、NRエアインターフェースおよびLTEエアインターフェースの共存のために構成されたスペクトル200の図である。スペクトル200の中央部分210は、LTE信号のためにライセンスされ、スペクトル200の外側部分220は、NR信号に対して静的に割り当てられる。図示のように、スペクトル200の中央部分210のいくつかのリソースは、LTE物理ダウンリンク制御チャネル(PDCCH)信号およびLTE物理ダウンリンク共有チャネル(PDSCH)信号のために使用される。この例において、LTE PDCCHまたはLTE PDSCHのために使用されないスペクトル200の中央部分210のリソースのセット215は、NR信号に対して動的に割り当てられる。
【００１６】
LTE基準信号を搬送するリソースのセット215内にリソース要素(RE)があってもよい。リソースのセット215内のRE位置は、LTE基準信号を送信するために使用される1つ以上のアンテナポートに関連付けられたLTE共通基準信号(CRS)パターンに基づいて変化してもよい。図3A〜図3Cは、異なるアンテナパターンについてLTE基準信号を搬送するために使用されるRE位置の図である。いくつかの実施形態において、NR同期信号(SS)ブロック225は、スペクトル200の外側部分220において通信される。具体的には、図3Aは、LTEアンテナポート#1に対するLTE CRSパターン310の図であり、図3Bは、LTEアンテナポート#2に対するLTE CRSパターン320の図であり、図3Cは、LTEアンテナポート#4に対するLTE CRSパターン330の図である。LTE CRSパターン310、320、330は、可能なLTE CRSパターンのいくつかの例を表し、異なるLTEアンテナポート(例えば、アンテナポート#0、アンテナポート#3、アンテナポート#5、...アンテナポート#22など)が異なるCRSアンテナパターンに関連付けられてもよいことが理解されるべきである。
【００１７】
いくつかの実施形態において、NR UEおよび/またはNRアクセスポイントは、LTE制御および基準信号を搬送するリソースを補償するためにNR信号に動的に割り当てられるスペクトル200の中央部分210のリソースのセット215においてレートマッチングを実行してもよい。レートマッチングは、LTE信号を搬送するリソースのサブセットにわたってNR信号をブランキングすること、または他の方法で送信/受信しないことを補償するために、残りのリソースにおけるコーディングレートを増加させることによって実行されてもよい。さらに、スペクトル200の中央部分210内のリソースがNRデータおよび/または制御チャネルを搬送するために使用されるという事実は、LTE UEにとって透過的であってもよい。
【００１８】
本開示の多くは、NR UEがLTEサブフレームの未使用リソースを介してNRダウンリンク信号またはチャネルを受信することを可能にする実施形態技法を論じているが、それらの実施形態技法は、他のタイプのネットワークにおける使用に同様に適合されうることが理解されるべきである。図4は、2つの異なるネットワークタイプに関連付けられたエアインターフェースの共存のために構成されたスペクトル400の図である。具体的には、スペクトル400は、中央部分410と2つの外側部分420とを含む。スペクトル400の外側部分420は、第1のネットワークタイプに関連付けられたダウンリンク信号に対して静的に割り当てられる。スペクトル400の中央部分410は、第1のネットワークタイプとは異なる第2のネットワークタイプのダウンリンク信号に対してライセンスされる。いくつかの実施形態において、第2のネットワークタイプに関連付けられた帯域幅の中央部分の半静的または動的なサイズ変更も可能である。図示のように、スペクトル400の中央部分410のいくつかのリソースは、第2のネットワークタイプの制御信号のために使用され、スペクトルの中央部分410の他のリソースは、第2のネットワークタイプのデータ信号のために使用される。この例において、第2のネットワークタイプのデータまたは制御信号のために使用されないスペクトル400の中央部分410のリソースのセット415は、第1のネットワークタイプのダウンリンク信号に対して動的に割り当てられる。
【００１９】
上記で論じたNR/LTEの具体的な実施形態と同様に、第2のネットワークタイプに関する基準信号および/または制御信号を搬送するリソースのセット415内にREがあってもよい。第2のネットワークタイプの基準信号を搬送するリソースのセット415内のリソースのそれらの位置は、第2のネットワークタイプに関連付けられたネットワークパラメータに基づいて変化してもよく、第1のネットワークに関連付けられたUEが第1のネットワークタイプに関連付けられたダウンリンク信号を受信するときに第2のネットワークタイプに関連付けられた信号を搬送するREを処理することを回避することができるように、第1のネットワークに関連付けられたUEにこのパラメータを通知することが有用でありうる。いくつかの実施形態において、第2のネットワークタイプに関する同期信号425は、スペクトル400の外側部分420において通信される。図5は、UEによって実行されうるようにLTEリソースを介してNR信号を送信または受信するための一実施形態の方法500のフローチャートである。ステップ510において、UEは、LTEネットワークパラメータを示すNR制御信号を受信する。ステップ520において、UEは、LTEネットワークパラメータに基づいて、LTE信号を搬送するか、または他の方法でLTE信号に予約されるリソースのサブセットを決定する。ステップ530において、UEは、NR信号を送信することなく、またはLTE信号を搬送するか、または他の方法でLTE信号に予約されるリソースのサブセットを他の方法で処理することなく、UEに割り当てられたリソースのセット内の1つ以上の残りのリソースを介してNR信号を送信または受信する。
【００２０】
いくつかの実施形態において、LTEサブフレームは、LTE強化PDCCH(ePDCCH)を含むことになる。LTE ePDCCHは、LTE PDCCHがLTE PDSCHと時分割二重化(TDD)されてもよく、LTE ePDCCHがLTE PDSCHと周波数分割二重化(FDD)されてもよいことを除いて、LTE PDCCHと同様であってもよい。図6は、NRエアインターフェースおよびLTEエアインターフェースの共存のために構成されたスペクトル600の図である。図2と同様に、スペクトル600の中央部分610は、LTE信号に対してライセンスされ、スペクトル600の外側部分620は、NR信号に対して静的に割り当てられる。いくつかの実施形態において、LTEに関連付けられた帯域の中央部分のサイズは、LTEネットワークの予想される負荷に基づいて、静的、半静的、または動的にサイズ変更されてもよい。この例において、スペクトル600の中央部分610のリソースは、LTE PDCCH信号、LTE ePDCCH信号、およびLTE PDSCH信号のために使用される。加えて、LTE PDCCH、LTE ePDCCH、またはLTE PDSCH信号のために使用されないスペクトル600の中央部分610のリソースのセット615は、NR信号に対して動的に割り当てられる。
【００２１】
いくつかの実施形態において、LTEリソースおよびNRリソースは、周波数領域において多重化される。そのような実施形態において、LTE/NRリソースに対するスペクトル割り当ては、動的おいて/または半静的に更新されうる。図7は、異なる周波数領域リソースがNRエアインターフェースおよびLTEエアインターフェースに割り当てられるスペクトル700の図である。図示のように、LTEエアインターフェースおよびNRエアインターフェースに対するスペクトル割り当ては、少なくともいくつかの周波数サブバンドがLTEエアインターフェースからNRエアインターフェースに再割り当てされるように、第1の時間間隔(t1)において更新される。第2の時間間隔(t2)において、それらの周波数サブバンドは、LTEエアインターフェースに戻って割り当てられる。
【００２２】
他の実施形態において、LTEリソースおよびNRリソースは、時間領域において多重化される。図8は、異なる時間領域リソースがNRエアインターフェースおよびLTEエアインターフェースに割り当てられるスペクトル800の図である。この例において、直交周波数分割多重(OFDM)シンボルがLTEエアインターフェースおよびNRエアインターフェースに半静的に割り当てられる。他の例において、OFDMシンボルがLTEエアインターフェースおよびNRエアインターフェースに動的に割り当てられる。図9は、異なる時間領域リソースがNRエアインターフェースおよびLTEエアインターフェースに割り当てられるスペクトル900の図である。この例において、OFDMシンボルは、シンボルごとにLTEエアインターフェースおよびNRエアインターフェースに動的に割り当てられる。
【００２３】
いくつかの実施形態において、LTE信号および/またはNR信号を送信するために、異なる長さの時間送信間隔(TTI)が使用される。図10は、LTE信号および/またはNR信号を送信するために異なる長さのTTIが使用されるスペクトル1000の図である。この例において、スペクトル1000の部分1010を介して信号を送信するために長いTTIが使用され、スペクトル1000の部分1020を介して信号を送信するために中位のTTIが使用され、スペクトル1000の部分1030を介して信号を送信するために短いTTIが使用される。中位のTTIは、レガシー4G LTEネットワークにおいて使用されるTTI長であってもよい。
【００２４】
図11は、NRエアインターフェースおよびLTEエアインターフェースの共存のために構成されたスペクトル1130の図である。図示のように、スペクトル1130は、LTE信号に対してライセンスされる中央周波数1110と、NR信号に対してライセンスされる外側周波数1120との合計である。この例において、中央周波数1110および外側周波数1120は、バンドパスフィルタを使用してLTE受信機によって分離される。
【００２５】
図12は、NRエアインターフェースおよびLTEエアインターフェースの共存のために構成されたスペクトル1230の図である。図示のように、スペクトル1230は、LTE信号に対してライセンスされる中央周波数1210と、NR信号に対してライセンスされる外側周波数1220との合計である。この例において、ガードバンド1231、1239が、中央周波数1210を外側周波数1120から分離する。
【００２６】
LTEとの共存は、LTE領域にスケジュールされていないNR UEに対して透過的でありうる。CRS信号を回避するために、LTE領域においてスケジュールされたNR UEのみが合図される必要がある。NR UEは、LTEサブフレームのはじめのLTE制御領域を回避するために、NRサブフレームの柔軟な開始時間を利用することもできる。
【００２７】
いくつかの実施形態において、NRネットワークは、レイテンシと動的制御信号オーバヘッドとのバランスをとるために、多様なトラフィックタイプをサポートするように動的に調整されうるソフトウェア定義エアインターフェースをサポートしてもよい。いくつかの実施形態において、NRエアインターフェースおよびLTEエアインターフェースは、それぞれのエアインターフェースが同じキャリア周波数を介してデータを転送するために使用されるように、キャリア内共存を有してもよい。NRエアインターフェースの存在は、LTE UEに対して透過的であってもよい。いくつかの実施形態において、NR AP/UEは、LTE基準および制御信号との干渉を回避するためにNR信号に対して動的に割り当てられるLTEサブフレーム内のリソースにわたってレートマッチングを実行してもよい。
【００２８】
FDMベースのLTE/NR共存方式は、いくつかの利点を提供してもよい。例えば、FDMベースのLTE/NR共存方式は、LTE制御領域を回避するために、NR同期信号(SS)ブロックの柔軟な周波数領域位置とNRサブフレームの柔軟な時間領域開始点とを許可してもよい。1つ以上のNR SSブロックは、一次同期信号(PSS)シンボル、二次同期信号(SSS)シンボル、および/または物理ブロードキャストチャネル(PBCH)を搬送してもよい。複数のビーム方向が使用されるとき、SSバーストを含む複数のNR SSブロックがリソースのグループにわたって多重化されてもよい。また、スペクトルの中央部分に限定されるLTE信号では、LTE基準信号とNR SSブロックとの間にはほとんどまたはまったく干渉がなくてもよい。追加のFDMベースのLTE/NR共存方式は、帯域の各部分がそれ自体のパラメータで柔軟に構成されうる、例えば、NR信号がLTEなどによって使用されない任意の残りの帯域幅を柔軟に占有することができる、NR統合ソフトAI設計の自己充足的特性を利用してもよい。さらに、FDMベースのLTE/NR共存方式は、ガードインターバルおよび/またはLTE信号のブランキングではなく、F-OFDM波形に依存してもよい。加えて、FDMベースのLTE/NR共存方式は、スペクトルの中央部分、例えば、LTE信号に対してライセンスされていないスペクトルの部分においてスケジュールされていないNR UEに対して透過的であってもよい。
【００２９】
図13は、ホストデバイス内にインストールされうる、本明細書で説明する方法を実行するための一実施形態の処理システム1300のブロック図を示す。図示のように、処理システム1300は、図33に示すように配置されてもよい(されなくてもよい)、プロセッサ1304と、メモリ1306と、インターフェース1310〜1314を含む。プロセッサ1304は、計算および/または他の処理関連タスクを実行するように適合される任意の構成要素または構成要素の集合であってもよく、メモリ1306は、プロセッサ1304による実行のためのプログラミングおよび/または命令を記憶するように適合される任意の構成要素または構成要素の集合であってもよい。UEのためのコンテキストを構成するための手段がプロセッサ1304を含んでもよい。一実施形態において、メモリ1306は、非一時的コンピュータ可読媒体を含む。インターフェース1310、1312、1314は、処理システム1300が他のデバイス/構成要素および/またはユーザと通信することを可能にする任意の構成要素または構成要素の集合であってもよい。例えば、インターフェース1310、1312、1314のうちの1つ以上は、プロセッサ1304からのデータメッセージ、制御メッセージ、または管理メッセージを、ホストデバイスおよび/またはリモートデバイス上にインストールされたアプリケーションに通信するように適合されてもよい。別の例として、インターフェース1310、1312、1314のうちの1つ以上は、ユーザまたはユーザデバイス(例えば、パーソナルコンピュータ(PC)など)が処理システム1300と対話/通信することを可能にするように適合されてもよい。処理システム1300は、長期記憶装置(例えば、不揮発性メモリなど)のような、図13に示されていない追加の構成要素を含んでもよい。
【００３０】
いくつかの実施形態において、処理システム1300は、遠隔通信ネットワークにアクセスするか、またはさもなければその一部であるネットワークデバイス内に含まれる。一例において、処理システム1300は、基地局、中継局、スケジューラ、コントローラ、ゲートウェイ、ルータ、アプリケーションサーバ、または、遠隔通信ネットワーク内の任意の他のデバイスのような、ワイヤレスまたは有線の遠隔通信ネットワーク内のネットワーク側デバイス内にある。他の実施形態において、処理システム1300は、移動局、ユーザ機器(UE)、パーソナルコンピュータ(PC)、タブレット、ウェアラブル通信デバイス(例えば、スマートウォッチなど)、または、遠隔通信ネットワークにアクセスするように適合された任意の他のデバイスのような、ワイヤレスまたは有線の遠隔通信ネットワークにアクセスするユーザ側デバイス内にある。
【００３１】
いくつかの実施形態において、インターフェース1310、1312、1314のうちの1つ以上は、処理システム1300を、遠隔通信ネットワークを介して信号を送信および受信するように適合されたトランシーバに接続する。図14は、遠隔通信ネットワークを介して信号を送信および受信するように適合されたトランシーバ1400のブロック図を示す。トランシーバ1400は、ホストデバイス内に設置されてもよい。図示のように、トランシーバ1400は、ネットワーク側インターフェース1402と、カプラ1404と、送信機1406と、受信機1408と、信号プロセッサ1410と、デバイス側インターフェース1412とを備える。ネットワーク側インターフェース1402は、ワイヤレスまたは有線の遠隔通信ネットワークを介して信号を送信または受信するように適合された任意の構成要素または構成要素の集合を含んでもよい。ネットワーク側インターフェース1402は、短距離インターフェースを介して信号を送信または受信するように適合された任意の構成要素または構成要素の集合も含んでもよい。ネットワーク側インターフェース1402は、Uuインターフェースを介して信号を送信または受信するように適合された任意の構成要素または構成要素の集合も含んでもよい。カプラ1404は、ネットワーク側インターフェース1402を介する双方向通信に適した任意の構成要素または構成要素の集合を含んでもよい。送信機1406は、ベースバンド信号を、ネットワーク側インターフェース1402を介する送信に適した変調キャリア信号に変換するように適合された任意の構成要素または構成要素の集合(例えば、アップコンバータ、電力増幅器など)を含んでもよい。アクセス手順の初期メッセージを送信するための手段が送信機1406を含んでもよい。受信機1408は、ネットワーク側インターフェース1402を介して受信されるキャリア信号をベースバンド信号に変換するように適合された任意の構成要素または構成要素の集合(例えば、ダウンコンバータ、低雑音増幅器など)を含んでもよい。モバイル加入者識別子と、アクセス手順の初期ダウンリンクメッセージと、ネットワークに接続するための転送要求とを受信するための手段が受信機1408を含んでもよい。
【００３２】
信号プロセッサ1410は、ベースバンド信号を、デバイス側インターフェース1412を介する通信に適したデータ信号に変換する、またはその逆に変換するように適合された任意の構成要素または構成要素の集合を含んでもよい。デバイス側インターフェース1412は、信号プロセッサ1410とホストデバイス内の構成要素(例えば、処理システム1300、ローカルエリアネットワーク(LAN)ポートなど)との間でデータ信号を通信するように適合された任意の構成要素または構成要素の集合を含んでもよい。
【００３３】
トランシーバ1400は、任意のタイプの通信媒体を介して信号を送信または受信してもよい。いくつかの実施形態において、トランシーバ1400は、ワイヤレス媒体を介して信号を送信および受信する。例えば、トランシーバ1400は、セルラープロトコル(例えば、ロングタームエボリューション(LTE)など)、ワイヤレスローカルエリアネットワーク(WLAN)プロトコル(例えば、Wi-Fiなど)、または任意の他のタイプのワイヤレスプロトコル(例えば、Bluetooth(登録商標)、近距離無線通信(NFC)など)のような、ワイヤレス遠隔通信プロトコルに従って通信するように適合されたワイヤレストランシーバであってもよい。そのような実施形態において、ネットワーク側インターフェース1402は、1つ以上のアンテナ/放射要素を備える。例えば、ネットワーク側インターフェース1402は、単一のアンテナ、複数の別個のアンテナ、または、多層通信用に構成されたマルチアンテナアレイ、例えば、単一入力多出力(SIMO)、多入力単一出力(MISO)、多入力多出力(MIMO)などを含んでもよい。他の実施形態において、トランシーバ1400は、有線媒体、例えば、より対線、同軸ケーブル、光ファイバなどを介して信号を送信および受信する。具体的な処理システムおよび/またはトランシーバは、図示の構成要素のすべて、または構成要素のサブセットのみを利用してもよく、統合のレベルは、デバイスごとに異なってもよい。
【００３４】
特許請求された概念について例示的な実施形態を参照して説明してきたが、この説明は、限定的な意味で解釈されることを意図していない。説明を参照すると、例示的な実施形態の様々な修正および組み合わせ、ならびに他の実施形態が当業者には明らかであろう。したがって、添付の特許請求の範囲は、いかなるそのような修正形態または実施形態も包含することが意図される。
【符号の説明】
【００３５】
100  ネットワーク
101  カバレッジエリア
110  基地局
120  UE
130  バックホールネットワーク
200  スペクトル
210  中央部分
215  リソースのセット
220  外側部分
225  NR同期信号(SS)ブロック
310  LTE CRSパターン
320  LTE CRSパターン
330  LTE CRSパターン
400  スペクトル
410  中央部分
415  リソースのセット
420  外側部分
425  同期信号
500  方法
600  スペクトル
610  中央部分
615  リソースのセット
620  外側部分
700  スペクトル
800  スペクトル
900  スペクトル
1000  スペクトル
1010  部分
1020  部分
1030  部分
1110  中央周波数
1120  外側周波数
1130  スペクトル
1210  中央周波数
1220  外側周波数
1230  スペクトル
1231  ガードバンド
1239  ガードバンド
1300  処理システム
1304  プロセッサ
1306  メモリ
1310  インターフェース
1312  インターフェース
1314  インターフェース
1400  トランシーバ
1402  ネットワーク側インターフェース
1404  カプラ
1406  送信機
1408  受信機
1410  信号プロセッサ
1412  デバイス側インターフェース
t1  第1の時間間隔
t2  第2の時間間隔
#0  アンテナポート
#1  LTEアンテナポート
#2  LTEアンテナポート
#3  アンテナポート
#4  LTEアンテナポート
#5  アンテナポート
#22  アンテナポート
【図１】
0006938645.tif 000002
【図２】
0006938645.tif 000003
【図３Ａ】
0006938645.tif 000004
【図３Ｂ】
0006938645.tif 000005
【図３Ｃ】
0006938645.tif 000006
【図４】
0006938645.tif 000007
【図５】
0006938645.tif 000008
【図６】
0006938645.tif 000009
【図７】
0006938645.tif 000010
【図８】
0006938645.tif 000011
【図９】
0006938645.tif 000012
【図１０】
0006938645.tif 000013
【図１１】
0006938645.tif 000014
【図１２】
0006938645.tif 000015
【図１３】
0006938645.tif 000016
【図１４】
0006938645.tif 000017